(57)【要約】【課題】毛髪保持具に毛髪束を容易に挿通させることができ、且つ必要量の毛髪処理剤を毛髪束に容易に浸透させることができる毛髪保持具を提供すること。【解決手段】毛髪保持具１は、一端の開口部２１から他端の開口部２２に向けて毛髪束を挿通可能にシートにより構成された扁平形状の筒状体２からなる。筒状体２は、毛髪束の挿通方向に長い縦長の形状であり、巻き上げ時に内側に位置する一面シート２３Ａ及び巻き上げ時に外側に位置する他面シート２３Ｂから形成されている。他面シート２３Ｂは、一端の開口部２１側の端部に毛髪処理剤を注入する窓部３を有しており、該他面シート２３Ｂに窓部３を閉鎖及び開放可能な蓋シート３１が設けられている。【選択図】図１
2019080721.tif 000002
【特許請求の範囲】
【請求項１】
一端の開口部から他端の開口部に向けて毛髪束を挿通可能にシートにより構成された扁平形状の筒状体からなり、
前記筒状体は、前記毛髪束の挿通方向に長い縦長の形状であり、巻き上げ時に内側に位置する一面シート及び巻き上げ時に外側に位置する他面シートから形成されており、
前記他面シートは、前記一端の開口部側の端部に毛髪処理剤を注入する窓部を有しており、該他面シートに前記窓部を閉鎖及び開放可能な蓋シートが設けられている、毛髪保持具。
【請求項２】
前記他面シートの切断により、前記窓部、及び一部が該窓部の縁に連設されたフラップ状の蓋シートを形成してなる、請求項１に記載の毛髪保持具。
【請求項３】
前記窓部は、前記他面シートの一部を切り出して形成されており、
前記蓋シートは、前記窓部の近傍に一部が接合されている、前記他面シートとは別体のシートからなる、請求項１に記載の毛髪保持具。
【請求項４】
前記別体のシートは、該シートの一部が前記他面シートの外面に接合されている、請求項３に記載の毛髪保持具。
【請求項５】
前記蓋シートは、前記一端の開口部側に、前記窓部以外の箇所に連設又は接合された固定部を有し、該固定部を軸に回動して前記窓部を閉鎖及び開放可能である、請求項１〜４の何れか１項に記載の毛髪保持具。
【請求項６】
前記窓部は、前記筒状体の短手方向の長さが長手方向の長さより長く、該長手方向の長さが５ｍｍ以上である、請求項１〜５の何れかに１項に記載の毛髪保持具。
【請求項７】
前記一面シート及び前記他面シートの何れか一方又は双方が形状記憶シートからなり、自然状態において、前記筒状体がロール状に巻回されており、
前記筒状体を引き伸ばして毛髪束を挿入した後、手を放すと、前記筒状体とともに毛髪束を巻き上げるようになされている、請求項１〜６の何れか１項に記載の毛髪保持具。
【請求項８】
請求項１〜７の何れか１項に記載の毛髪保持具を用いて毛髪束に毛髪処理を行う毛髪処理方法であって、
前記筒状体に毛髪束を挿通する工程と、
前記筒状体を、該筒状体に挿通した前記毛髪束とともに巻き上げる工程と、
前記窓部を開放した状態で、該窓部を介して前記筒状体内に前記毛髪処理剤を注入する工程とを含む、毛髪処理方法。
【請求項９】
一端の開口部から他端の開口部に向けて毛髪束を挿通可能にシートにより構成された扁平形状の筒状体からなり、
前記筒状体は、巻き上げ時に内側に位置する一面シート及び巻き上げ時に外側に位置する他面シートから形成されており、
前記他面シートは、前記一端の開口部側の端部に、通液度が該他面シートの他の部分よりも高い毛髪処理剤注入部を有している、毛髪保持具。
【請求項１０】
前記毛髪処理剤注入部は、前記他面シートの一部を切り出して形成してなる窓部と、該窓部を覆うように固定された、前記他面シートよりも通液性の高い高通液性シートとを備えて構成されている、請求項９に記載の毛髪保持具。
【請求項１１】
前記一面シート及び前記他面シートの何れか一方又は双方が形状記憶シートからなり、自然状態において、前記筒状体がロール状に巻回されており、
前記筒状体を引き伸ばして毛髪束を挿入した後、手を放すと、前記筒状体が毛髪束とともに巻き上がるようになされている、請求項９又は１０に記載の毛髪保持具。
【請求項１２】
請求項９〜１１の何れか１項に記載の毛髪保持具を用いて毛髪束に毛髪処理を行う毛髪処理方法であって、
前記筒状体に毛髪束を挿通する工程と、
前記筒状体を、該筒状体に挿通した前記毛髪束とともに巻き上げる工程と、
前記毛髪処理剤注入部を介して前記筒状体内に毛髪処理剤を注入する工程とを含む、毛髪処理方法。
【発明の詳細な説明】
【技術分野】
【０００１】
本発明は、毛髪束を所定の形状に巻回するときに用いられる毛髪保持具に関する。
【背景技術】
【０００２】
下記特許文献１には、一端の開口部から他端の開口部に向けて毛髪束を挿通可能で且つシートにより構成された扁平形状の筒状体からなる毛髪保持具が開示されている。この毛髪保持具は、挿通した毛髪を乾かすために、扁平形状の筒状体を構成するシートに多数の貫通孔が形成されている。
【０００３】
また、本出願人は、先に、扁平形状の筒状体からなる毛髪保持具であって、毛髪束の挿通された筒状体を複数種の巻径の巻回状態に固定し得る巻き留め手段を具備している毛髪保持具を提案している（特許文献２）。
さらに、本出願人は、先に、筒状体を構成する一面シート及び／又は他面シートのテーバーこわさが所定値以上であり、筒状体の一端の開口部には、該開口部に挿入された毛髪束に加わった応力を緩和する応力緩和手段が設けられている毛髪保持具も提案している（特許文献３）。
【先行技術文献】
【特許文献】
【０００４】
【特許文献１】米国特許第３２５５７６５号明細書
【特許文献２】特開２００４−２０９２３７号公報
【特許文献３】特開２００７−９８１２１号公報
【発明の概要】
【発明が解決しようとする課題】
【０００５】
上記のような毛髪保持具は、毛髪束を筒状体に容易に挿通させることが求められている。また、筒状体を巻回した後、毛髪保持具を介してパーマ用の毛髪処理剤を毛髪束に付与する場合、毛髪処理剤が毛髪保持具に吸収され、毛髪処理剤を毛髪束に必要量浸透させ難いことがあった。特許文献１の毛髪保持具は、貫通孔から毛髪が飛び出すことがあり、毛髪束の挿通作業が困難であった。特許文献２及び３の毛髪保持具は、毛髪束に毛髪処理剤を効果的に付与する点に改善の余地があった。
【０００６】
従って、本発明の課題は、前述した従来技術が有する欠点を解消し得る毛髪保持具を提供することにある。
【課題を解決するための手段】
【０００７】
本発明は、一端の開口部から他端の開口部に向けて毛髪束を挿通可能にシートにより構成された扁平形状の筒状体からなり、前記筒状体は、前記毛髪束の挿通方向に長い縦長の形状であり、巻き上げ時に内側に位置する一面シート及び巻き上げ時に外側に位置する他面シートから形成されており、前記他面シートは、前記一端の開口部側の端部に毛髪処理剤を注入する窓部を有しており、該他面シートに前記窓部を閉鎖及び開放可能な蓋シートが設けられている、毛髪保持具を提供するものである。
【０００８】
また、本発明は、前記毛髪保持具を用いて毛髪束に毛髪処理を行う毛髪処理方法であって、前記筒状体に毛髪束を挿通する工程と、前記筒状体を、該筒状体に挿通した前記毛髪束とともに巻き上げる工程と、前記窓部を開放した状態で、該窓部を介して前記筒状体内に前記毛髪処理剤を注入する工程とを含む、毛髪処理方法を提供するものである。
【０００９】
また、本発明は、一端の開口部から他端の開口部に向けて毛髪束を挿通可能にシートにより構成された扁平形状の筒状体からなり、前記筒状体は、巻き上げ時に内側に位置する一面シート及び巻き上げ時に外側に位置する他面シートから形成されており、前記他面シートは、前記一端の開口部側の端部に、通液度が該他面シートの他の部分よりも高い毛髪処理剤注入部を有している、毛髪保持具を提供するものである。
【００１０】
さらに、本発明は、毛髪保持具を用いて毛髪束に毛髪処理を行う毛髪処理方法であって、前記筒状体に毛髪束を挿通する工程と、前記筒状体を、該筒状体に挿通した前記毛髪束とともに巻き上げる工程と、前記毛髪処理剤注入部を介して前記筒状体内に毛髪処理剤を注入する工程とを含む、毛髪処理方法を提供するものである。
【発明の効果】
【００１１】
本発明の毛髪保持具によれば、該毛髪保持具に毛髪束を容易に挿通させることができ、且つ必要量の毛髪処理剤を毛髪束に容易に浸透させることができる。
【図面の簡単な説明】
【００１２】
【図１】図１（ａ）及び（ｂ）は、本発明の第１実施形態の毛髪保持具を示す斜視図で、（ａ）は正面斜視図、（ｂ）は背面斜視図である。図１（ｃ）は、図１（ｂ）に示すＩ−Ｉ断面図である。図１（ｄ）は、本発明に係る蓋シートの別の実施形態を示す、筒状体の長手方向に沿う断面図である。
【図２】図２は、図１に示す毛髪保持具を用いて毛髪束にカールを付与している状態を示す斜視図である。
【図３】図３（ａ）は、本発明の第２実施形態の毛髪保持具を示す背面斜視図である。図３（ｂ）は、図３（ａ）に示すＩＩ−ＩＩ線断面図である。
【図４】図４（ａ）〜（ｃ）は、図１に示す毛髪保持具を用いて毛髪束にカールを付与する手順を順次示す斜視図である。
【発明を実施するための形態】
【００１３】
以下、本発明の毛髪保持具を、その好ましい実施形態に基づき、図面を参照しながら説明する。
本発明の第１実施形態である毛髪保持具１は、図１（ａ）及び（ｂ）に示すように、一端の開口部２１から他端の開口部２２に向けて毛髪束Ｈを挿通可能にシート２３Ａ、２３Ｂにより構成された扁平形状の筒状体２からなる。筒状体２は、毛髪束Ｈの挿通方向Ｘに長い縦長の形状であり、巻上げ時に内側に位置する一面シート２３Ａ及び巻き上げ時に外側に位置する他面シート２３Ｂから形成されている。他面シート２３Ｂは、一端の開口部２１側の端部に毛髪処理剤を注入する窓部３を有しており、該他面シート２３Ｂに窓部３を閉鎖及び開放可能な蓋シート３１が設けられている。
【００１４】
本実施形態の毛髪保持具１について更に詳述すると、本実施形態の毛髪保持具１は、筒状体２と延設部４とを主体として構成されている。
筒状体２は、図１（ａ）及び（ｂ）に示すように、扁平形状を有している。筒状体２は、一方の面を形成するシート（以下「一面シート」ともいう）２３Ａと他方の面を形成するシート（以下「他面シート」ともいう）２３Ｂとを、その長手方向に沿う側縁部２４、２４同士で接合させて形成されている。筒状体２の長手方向は、毛髪束Ｈの挿通方向に沿う。
筒状体２の寸法は、毛髪の長さやくせ付けしたい場所、挿入する毛髪束の量に応じて適宜決定することができ、例えば、長手方向の長さＬが５０ｍｍ以上４００ｍｍ以下、好ましくは１００ｍｍ以上３５０ｍｍ以下であり、また該長手方向に直交する短手方向の長さＷが２５ｍｍ以上１５０ｍｍ以下である。
【００１５】
以下、一面シート２３Ａ及び他面シート２３Ｂに共通する説明を行う際には、「基材シート２３」と表現する。
基材シート２３の形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
基材シート２３の厚みは、好ましくは５μｍ以上、より好ましくは１０μｍ以上であり、また好ましくは２０００μｍ以下、より好ましくは１５００μｍ以下であり、また好ましくは５μｍ以上２０００μｍ以下、より好ましくは１０μｍ以上１５００μｍ以下である。
【００１６】
筒状体２の巻回をより容易に行う観点から、筒状体２は、一面シート２３Ａ及び他面シート２３Ｂの何れか一方又は双方が形状記憶シートからなり、自然状態において、筒状体２がロール状に巻回されており、筒状体２を引き伸ばして毛髪束Ｈを挿入した後、手を放すと、筒状体２が毛髪束Ｈとともに巻き上がるようになされていることが好ましい。
形状記憶シートは、熱収縮率の異なるフィルムあるいは張力の違うフィルムを貼り合わせることによって形成することができる。
筒状体２は、筒状体２を構成する基材シート２３を加熱することにより、記憶していた元のロール形状に復帰するものであっても良い。
【００１７】
また、本実施形態の毛髪保持具１は、自然状態において、筒状体２が引き伸ばされた状態であっても良いが、使用勝手の観点から、自然状態において一面シート２３Ａ側を内側にして毛髪束Ｈをロール状に巻回されていることが好ましい。
【００１８】
基材シート２３は、毛髪束Ｈと接する面に、毛髪処理剤の拡散性を向上させる加工が施されていることが好ましい。このような加工は、特に制限されないが、エンボス加工、カレンダー加工、樹脂膜形成加工等が挙げられる。例えばエンボス加工は、基材シート２３の長手方向に連なる凸部を形成することにより、毛髪処理剤が該凸部を伝うことで拡散性を向上させることができる。カレンダー加工は、基材シート２３の密度を調整することにより、毛髪処理剤の拡散性を向上させることができる。樹脂膜形成加工は、基材シート２３の一部あるいは全部に吸液性の低い樹脂膜を形成し基材シート２３全体の吸液量を低減させることにより、毛髪処理剤の拡散性を向上させることができる。これらの加工のうちの少なくとも１つを施すことが好ましく、２種以上施すことが好ましい。
【００１９】
他面シート２３Ｂは、一端の開口部２１側の端部に毛髪処理剤を注入する窓部３を有している。また、他面シート２３Ｂには、窓部３を閉鎖及び開放可能な蓋シート３１が設けられている。斯かる構成により、筒状体２内に毛髪束Ｈを挿通する際には、窓部３を閉鎖状態に維持することができ、毛髪が窓部３から飛び出すことを防止することができる。また、筒状体２の巻き上げ後に、窓部３を開放することにより、該窓部３を介して毛髪処理剤を直接毛髪束Ｈに供給することができる。このように、本発明の毛髪保持具は、毛髪処理剤を毛髪に直接供給可能でありながら、蓋シート３１により毛髪保持具１から毛髪が飛び出すことを防ぐため、該毛髪保持具１に毛髪束を容易に挿通させることができる共に、毛髪処理剤を直接供給できるため、毛髪処理剤が毛髪保持具に吸収され難く、必要量の毛髪処理剤を毛髪束に容易に浸透させることができる。
【００２０】
窓部３は、図１（ｂ）に示すように、筒状体２の短手方向に横長の略矩形状をしているが、毛髪束Ｈに対して筒状体２の短手方向に均一に応力をかける観点から、窓部３は、筒状体２の幅方向における長さＷ１が長手方向の長さＬ１より長いことが好ましい。
【００２１】
上述した一又は二以上の効果をより確実に奏させる観点から、窓部３は、以下の寸法及び配置を有することが好ましい。
窓部３は、筒状体２の長手方向に沿う長さＬ１が、該筒状体２の長手方向の長さＬに対して、好ましくは１．２％以上、より好ましくは２．８％以上であり、また好ましくは６０％以下、より好ましくは３０％以下であり、また好ましくは１．２％以上６０％以下、より好ましくは２．８％以上３０％以下である。
また、窓部３は、筒状体２の短手方向に沿う長さＷ１が、該筒状体２の短手方向の長さＷに対して、好ましくは１９％以上、より好ましくは２５％以上であり、また好ましくは８７％以下、より好ましくは８０％以下であり、また好ましくは１９％以上８７％以下、より好ましくは２５％以上８０％以下である。
窓部３は、筒状体２の短手方向に沿う長さＷ１の、筒状体２の長手方向に沿う長さＬ１に対する比（Ｗ１／Ｌ１）が、好ましくは２以上、より好ましくは２．６以上であり、また好ましくは２６以下、より好ましくは２４以下であり、また好ましくは２以上２６以下、より好ましくは２．６以上２４以下である。
【００２２】
窓部３は、筒状体２の短手方向に沿う長さＷ１〔図１（ｂ）参照〕が、好ましくは１０ｍｍ以上、より好ましくは３０ｍｍ以上であり、また好ましくは１３０ｍｍ以下、より好ましくは１２０ｍｍ以下であり、また好ましくは１０ｍｍ以上１３０ｍｍ以下、より好ましくは３０ｍｍ以上１２０ｍｍ以下である。
窓部３は、筒状体２の長手方向に沿う長さＬ１〔図１（ｂ）及び（ｃ）参照〕が、好ましくは５ｍｍ以上、より好ましくは１０ｍｍ以上であり、また好ましくは５０ｍｍ以下、より好ましくは３０ｍｍ以下であり、また好ましくは５ｍｍ以上５０ｍｍ以下、より好ましくは１０ｍｍ以上３０ｍｍ以下である。
【００２３】
窓部３は、他面シート２３Ｂにおける一端の開口部２１側に配されているが、窓部３の少なくとも一部好ましくは全体が、筒状体２の長手方向の全長Ｌを３等分して３領域に区分したときの最も一端の開口部２１側の領域に配されていることが好ましく、筒状体２の該全長Ｌを４等分して４領域に区分したときの最も一端の開口部２１側の領域に配されていることがより好ましい。
また窓部３は、少なくとも一部好ましくは全体が、筒状体２の長手方向において、一端の開口部２１から、好ましくは５ｍｍ以上１８３ｍｍ以下の範囲、より好ましくは１０ｍｍ以上１６７ｍｍ以下の範囲に配されていることが好ましい。
また、窓部３は、図２に示すように、筒状体２の巻き上げ後に、該窓部３の少なくとも一部、好ましくは全体が、最も外側の周面上、即ちロール状の筒状体２の外周面上にあることが好ましく、一端の開口部２１から該外周面の半周以内にあることがより好ましい。
【００２４】
本実施形態の毛髪保持具１における窓部３及び蓋シート３１は、図１（ｂ）、（ｃ）及び図２に示すように、他面シート２３Ｂに、平面視形状が、一端の開口部２１側から他方の開口部２２側に向かって凸の形状の切り込みを入れることによって形成されている。蓋シート３１は、窓部３の一端の開口部２１側の縁で、他面シート２３Ｂと連結しており、他面シート２３Ｂとの連結部を除く３方を切り込みによって囲まれたフラップ状を有している。このように、窓部３及び蓋シート３１が、他面シート２３Ｂに切り込みを入れて形成されていると、開閉操作を容易に行うことができると共に、開閉操作に対する耐久性が高く、また安価に製造可能である等の点で好ましい。
【００２５】
図１（ｄ）に、窓部３及び蓋シート３１の別の形成態様を示す。図１（ｄ）に示す実施形態においては、窓部３は、他面シート２３Ｂの一部を切り抜いて形成されており、蓋シート３１は、窓部３を被覆するように、他面シート２３Ｂにおける窓部３と一端の開口部２１間に接合されたフラップ状の別体のシート３５から形成されている。
蓋シート３１の形状や大きさの調整自由度の観点から、窓部３は、図１（ｄ）に示すように、他面シート２３Ｂの一部を切り出して形成され、蓋シート３１は、他面シート２３Ｂとは別体のシート３５の一部を、窓部３の近傍に接合して形成されていることが好ましい。
【００２６】
上記の別体のシート３５は、蓋シート３１をより容易に開閉する観点、また、毛髪束Ｈの挿通、毛髪処理剤による処理を円滑に行う観点から、図１（ｄ）に示すように、該別体のシート３５の一部が他面シート２３Ｂの外面に接合されていることが好ましい。ここで、他面シート２３Ｂの外面とは、一面シート２３Ａ側とは反対側の面である。また、他面シート２３Ｂの内面は、一面シート２３Ａ側の面である。
【００２７】
上記の別体のシート３５は、基材シート２３のテーバーこわさに顕著な影響を与えないようにする観点から、不織布、織布、網状シート、樹脂フィルム、紙、高分子材料シート、ゴムシート又はこれらの複合体からなることが好ましい。テーバーこわさは、ＪＩＳ  Ｐ８１２５−２０００に規定される「こわさ試験方法」により測定される。
【００２８】
蓋シート３１は、窓部３を閉鎖及び開放可能なように設けられているが、蓋シート３１の開閉の形態は特に限定されず、図１（ｃ）及び（ｄ）に示すように、他面シート２３Ｂと連結されていない部分又は接合されていない部分〔図１（ｃ）及び（ｄ）中では、他端の開口部２２側の端部〕をめくり上げるようにして開閉してもよい。
図１（ｃ）に示す蓋シート３１は、該蓋シート３１の一端の開口部２１側の縁部３２を介して、他面シート２３Ｂと連結している。また、図１（ｄ）に示す蓋シート３１は、該蓋シート３１を構成する別体のシート３５の一端の開口部２１側の端部３６が、筒状体２の長手方向における一端の開口部２１及び窓部３間において、他面シート２３Ｂと接合している。筒状体２と接合される別体のシート３５の端部３６を固定部３６ともいう。蓋シート３１の前記縁部３２が他面シート２３Ｂと連結した態様や、別体のシート３５の前記端部３６が他面シート２３Ｂと接合された態様では、蓋シート３１の他方の開口部２２側の端部をめくり上げることで、窓部３を開放状態にできるため、筒状体２を巻回した後、窓部３から毛髪処理剤をより容易に注入することができる。このように、蓋シート３１は、一端の開口部２１側に、窓部３以外の箇所に連設又は固定された縁部３２又は固定部３６を有し、該縁部３２又は固定部３６を軸に回動して窓部３を閉鎖及び開放可能であることが好ましい。
【００２９】
一面シート２３Ａには、該シート２３Ａの短手方向に延びるスリットが形成されていない。また、他面シート２３Ｂには、該シート２３Ｂの短手方向に延びるスリットが形成されていなくても、形成されていてもよい。巻き上げ時に外側となる他面シート２３Ｂに長手方向に離間させて複数のスリットを形成すると、他面シート２３Ｂの伸長性を向上させることができ、筒状体２をスムーズに巻き上げることができる。このようなスリットとして、例えば、特開２００６−１２９９７２号公報の段落〔００１３〕に記載のスリットを設けることができる。ここで、他面シート２３Ｂの短手方向に延びるスリットは、該スリットの筒状体２の長手方向における長さが３ｍｍ未満のものを意味する。
【００３０】
筒状体２の一端の開口部２１の端部近傍には、図１（ａ）に示すように、一面シート２３Ａが筒状体２の長手方向に延出した延設部４が設けられている。本実施形態においては、一面シート２３Ａと延設部４とは一体形成されている。
【００３１】
本実施形態の延設部４には、他面シート２３Ｂが存する面とは反対側に、図１（ａ）に示すように、巻き留め部５１が設けられている。また、他面シート２３Ｂの外面には、図１（ｂ）に示すように、巻き留め部５１と係合可能な係合シート片５２が設けられている。本実施形態の係合シート片５２は、筒状体２の一端の開口部２１側から窓部３を越えて挿通方向Ｘに延びている。
巻き留め部５１は、係合シート片５２に係合可能なもので、巻き上げ状態の筒状体２において係合シート片５２を巻き留め部５１に係合させることにより、筒状体２の巻き上げ状態を維持するものである。巻き留め部５１としては、係合シート片５２に係合可能なものであれば種々のものを用いることができ、本実施形態においては、メカニカルファスナーのオス部材を用いている。係合シート片５２としては、巻き留め部５１に係合可能なものであれば種々のものを用いることができ、本実施形態においては、機械的面ファスナーのメス部材を用いている。係合シート片５２を設けず、巻き留め部５１を他面シート２３Ｂに係合させることにより筒状体２の巻き上げ状態を維持してもよい。
【００３２】
筒状体２は、巻き締め片を有していても良い。巻き締め片として、例えば、特開２００６−１２９９７２号公報の段落〔００１９〕に記載のものを設けることができる。毛髪束Ｈを挿通した筒状体２を巻回する際、巻き締め片を手で把持して筒状体２を巻き上げると、筒状体２を容易に且つ必要に応じてきつく巻き上げることができる。尚、巻き締め片の形成方法、形状、大きさ、厚さ、配置等は適宜設定できる。
【００３３】
また筒状体２は、蓋シート３１によって窓部３を閉鎖した状態を維持する閉鎖状態維持手段（図示せず）を備えていることが好ましい。閉鎖状態維持手段としては、窓部３を覆う蓋シート３１と、窓部３における他方の開口部２２側の隣接部位とに跨るように保持テープを取り付ける方法が挙げられる。保持テープは、長手方向の一端部側を、蓋シート３１及び窓部３における隣接部位の一方に、脱着不可能に固定する一方、他端部を、蓋シート３１又は窓部３における隣接部位の他方に、脱着可能に固定することが好ましい。脱着不可能に固定する方法としては、接着剤を介した接着、ヒートシール等による融着等が挙げられる。脱着可能に固定する方法としては、粘着剤や機械的面ファスナーを用いる方法が挙げられる。
【００３４】
次に、本発明の第２実施形態の毛髪保持具１ａについて説明する。第２実施形態の毛髪保持具１ａについては、第１実施形態と異なる点について説明し、同様の点については説明を省略する。特に説明しない点については、第１実施形態の毛髪保持具１と同様であり、同様の構成要素には同様の符号を付してある。
【００３５】
図３（ａ）及び（ｂ）に示す毛髪保持具１ａの他面シート２３Ｂは、一端の開口部２１側の端部に、通液度が該他面シート２３Ｂの他の部分よりも高い毛髪処理剤注入部３０を有している。図３（ａ）及び（ｂ）に示す毛髪保持具１ａは、毛髪束Ｈを挿通した筒状体２を巻回した後、毛髪処理剤注入部３０を介して、毛髪束Ｈに直接毛髪処理剤を付与することができる。
【００３６】
毛髪処理剤を効果的に供給する観点から、毛髪処理剤注入部３０の通液度は、好ましくは１ｍＬ／（ｓ・ｃｍ２）以上１０００ｍＬ／（ｓ・ｃｍ２）以下、より好ましくは１０ｍＬ／（ｓ・ｃｍ２）以上１００ｍＬ／（ｓ・ｃｍ２）以下である。
また、他面シート２３Ｂにおける毛髪処理剤注入部３０以外の部分の通液度は、好ましくは０．０１ｍＬ／（ｓ・ｃｍ２）以上１００ｍＬ／（ｓ・ｃｍ２）以下、より好ましくは０．１ｍＬ／（ｓ・ｃｍ２）以上１０ｍＬ／（ｓ・ｃｍ２）以下である。
【００３７】
上記の通液度は、以下の方法により測定される。
高さ７０ｍｍ、開口径３６ｍｍの円筒状容器の開口部を試料のシート（他面シート２３Ｂや毛髪処理剤注入部３０）で蓋をし、これを接着固定して、試料膜を作成した。試料膜を下にして、試料膜の上から１００ｍＬのイオン交換水（純水）を注いだ。注いだ純水が試料膜を通過するのに要する時間を測定し、下記式（１）に従い純水の通液度を算出した。測定は水温２５℃±０．１℃にて行った。
通液度〔ｍＬ／（ｓ・ｃｍ２）〕＝通過した純水の量（ｍＬ）／通過するのに要した時間／膜の面積（ｃｍ２）・・・式（１）
【００３８】
毛髪処理剤注入部３０は、例えば、他面シート２３Ｂに毛髪が飛び出さない程度の大きさの貫通孔を複数有する領域を設けること、他面シート２３Ｂの一部の厚みを薄くすること、又は他面シート２３Ｂの一部にプラズマ放電処理やコロナ放電処理等の化学処理を施すことにより、通液性を変化させることなどにより形成することができる。また、後述するように、他面シート２３Ｂを切抜き、該切り抜いた部分を覆うように通液度の高い高通液性シート３３を他面シート２３Ｂに固定することにより、毛髪処理剤注入部３０を形成することができる。
【００３９】
毛髪処理剤注入部３０は、前述した第１実施形態の毛髪保持具１における窓部３と同じ寸法及び配置を採用することが好ましい。毛髪処理剤注入部３０が、貫通孔を複数有する領域からなる場合、該領域の寸法及び配置が第１実施形態の毛髪保持具１における窓部３と同じであることが好ましい。
【００４０】
図３（ａ）及び（ｂ）に示す毛髪処理剤注入部３０は、他面シート２３Ｂの一部を切り抜いて形成してなる窓部３と、該窓部３を覆うように配され、且つ他面シート２３Ｂにその四方を固定された高通液性シート３３とを備えている。高通液性シート３３は、上記の蓋シート３１と異なり、窓部３を閉鎖及び開放可能なよう、開閉可能に固定されていない。また、高通液性シート３３は、他面シート２３Ｂよりも通液性が高い。この高通液性シート３３に毛髪処理剤を注入することにより、毛髪保持具１ａ内の毛髪束Ｈに直接毛髪処理剤を付与することができる。このように、毛髪保持具１ａは、他面シート２３Ｂの一部を切り出して形成してなる窓部３と、該窓部３を覆うように固定された、他面シート２３Ｂよりも通液性の高い高通液性シート３３とを備えて構成されていることが好ましい。斯かる構成の窓部３は、前述した第１実施形態の毛髪保持具１における窓部３と同じ寸法及び配置を採用することが好ましい。
また、高通液性シート３３の通液度は、上記の毛髪処理剤注入部３０と同じ範囲内であることが好ましい。
【００４１】
高通液性シート３３の形成材料として、他面シート２３Ｂの他の部分よりも通液性の高い材料を特に制限なく用いることができ、例えば不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、又はこれらの複合体等が挙げられる。
【００４２】
本発明の毛髪保持具は、前記実施形態に制限されることなく、本発明の趣旨を逸脱しない限り、適宜変更が可能である。
例えば、筒状体２は、その形成方法について特に制限はなく、シートを縫合、融着又は接着して形成したものでもよい。
尚、本発明の毛髪保持具における「筒状体２」を構成するシート材の形状及びその表面状態は、上述の形態の筒状体を形成可能なものであれば良く、「扁平形状」という場合、シート材の表面は、凹凸面であってもよい。
【００４３】
また、本発明の毛髪保持具は、毛髪処理剤を用いたパーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができるが、毛髪処理剤を用いたパーマ処理に好適に用いることができる。
【００４４】
次に、本発明の第１実施形態における毛髪保持具１を用いた、本発明の毛髪処理方法について、パーマ処理により毛髪（頭髪）に直接カールを付与する場合について、図４及び図２を参照しながら説明する。この毛髪処理方法は、筒状体２に毛髪束Ｈを挿通する工程と、筒状体２を、該筒状体２に挿通した毛髪束Ｈとともに巻き上げる工程と、窓部３を開放した状態で、窓部３を介して筒状体２内に毛髪処理剤を注入する工程とを含む。
【００４５】
先ず、毛髪束Ｈの量や得ようとするカール形状に応じて、適当な長さ及び幅を有する筒状体２からなる毛髪保持具１を用い、図４（ａ）に示すように、引き伸ばした筒状体２の一端の開口部２１を楕円状に開口し、毛髪束Ｈを開口部２１の中へ挿通する。この際、窓部３から毛髪が飛び出すことを防止して、毛髪束Ｈの挿通作業をスムーズに行う観点から、蓋シート３１を閉じて窓部３を閉鎖することが好ましい。尚、筒状体２の開口部２１に毛髪束Ｈを挿入する際に、必要に応じ、該開口部２１を真円状に開口した方が、毛髪束Ｈをスムーズに挿通させ易い。また、毛髪束Ｈをフック可能なフック部が設けられた毛髪挿入具を用いると、毛髪束Ｈを筒状体２に容易に挿通できる。また、図４（ａ）に示すように、毛髪束Ｈの先端を筒状体２の他端の開口部２２からはみ出させてもよく、毛髪束Ｈの先端を該他端の開口部２２からはみ出させなくともよい。
【００４６】
毛髪束Ｈを筒状体２に挿通させた後、図４（ｂ）及び（ｃ）に示すように、筒状体２をその他端の開口部２２の側から、一面シート２３Ａを内側にして巻き上げる。この際も、巻き上げ時に毛髪が窓部３から飛び出すことを防止する観点から、窓部３を閉鎖した状態で筒状体２を巻き上げることが好ましい。
また、筒状体２を巻き上げた後、巻き留め部５１と係合シート片５２あるいは他面シート２３Ｂとを係合させる位置を調整することで、筒状体２は所定の巻径の巻き上げ状態で固定される。
【００４７】
次に、図２に示すように、他面シート２３Ｂの蓋シート３１を開け、開放した状態の窓部３にパーマ用の毛髪処理剤を注入して、毛髪束Ｈに該毛髪処理剤を付与する。蓋シート３１が、図１（ｄ）に示す別体のシートからなる場合も、同様の作業を行うことができる。このように毛髪処理剤は、窓部３を介して、直接毛髪束Ｈに付与することができるため、必要量の毛髪処理剤を毛髪束Ｈに容易に浸透させることができる。そして所定時間後、筒状体２から毛髪束Ｈを挿脱し、洗髪等して、パーマ処理を完了する。
第１液及び第２液から構成される２剤式のパーマ用毛髪処理剤の場合は、毛髪保持具１で巻き上げた毛髪束Ｈを第１液で処理した後、毛髪束Ｈを挿脱する前に毛髪束Ｈに第２液を塗布して処理する。そして所定時間後、筒状体２から毛髪束Ｈを挿脱し、洗髪等して、パーマ処理を完了することができる。
【００４８】
また、本発明は、第２実施形態の毛髪保持具１ａを用いた別の毛髪処理方法として、筒状体２に毛髪束Ｈを挿通する工程と、毛髪処理剤注入部３０に毛髪処理剤を注入する工程とを含む。
第２実施形態の毛髪保持具１ａを用いた毛髪処理方法については、第１実施形態の毛髪保持具をと用いた毛髪処理方法と異なる点について説明し、同様の点については説明を省略する。
【００４９】
第２実施形態の毛髪保持具１ａを用いた毛髪処理方法は、先ず筒状体２に毛髪束Ｈを挿通する。この際、毛髪処理剤注入部３０によって、毛髪が飛び出すことを防止することができ、毛髪束Ｈの挿通作業をスムーズに行うことが出来る。
【００５０】
次に、第１実施形態の毛髪保持具１を用いた毛髪処理方法と同様に、筒状体２を巻き上げる。この巻き上げ時も、毛髪処理剤注入部３０によって、毛髪が窓部３から飛び出すことを防止することができる。
【００５１】
次に、毛髪処理剤注入部３０に毛髪処理剤を注入する。前述した通り、毛髪処理剤注入部３０は、他面シート２３Ｂの他の部分よりも通液度が高いため、該毛髪処理剤注入部３０を介して毛髪処理剤を筒状体２内の毛髪束Ｈに直接付与することができ、必要量の毛髪処理剤を毛髪束Ｈに容易に浸透させることができる。
【００５２】
本発明の範囲はかかる実施形態に制限されない。
例えば、毛髪処理剤は、パーマ剤の他、染毛剤、脱色剤、スタイリング剤等が挙げられる。
【００５３】
また本発明は更に以下の毛髪保持具を開示する。
＜１＞
一端の開口部から他端の開口部に向けて毛髪束を挿通可能にシートにより構成された扁平形状の筒状体からなり、
前記筒状体は、毛髪束の挿通方向に縦長の形状であり、巻き上げ時に内側に位置する一面シート及び巻き上げ時に外側に位置する他面シートから形成されており、
前記他面シートは、前記一端の開口部側の端部に毛髪処理剤を注入する窓部を有しており、該他面シートに前記窓部を閉鎖及び開放可能な蓋シートが設けられている、毛髪保持具。
【００５４】
＜２＞
前記他面シートの切断により、前記窓部、及び一部が該窓部の縁に連設されたフラップ状の蓋シートを形成してなる、前記＜１＞に記載の毛髪保持具。
＜３＞
前記窓部及び前記蓋シートは、平面視形状が、前記一端の開口部側から前記他方の開口部側に向かって凸の形状の切り込みを入れることによって形成されている、前記＜１＞又は＜２＞に記載の毛髪保持具。
＜４＞
前記蓋シートは、前記窓部の前記一端の開口部側の縁で、前記他面シートと連結しており、前記他面シートとの連結部を除く３方を切り込みによって囲まれたフラップ状を有している、前記＜１＞〜＜３＞の何れか１に記載の毛髪保持具。
＜５＞
前記蓋シートは、該蓋シートの前記一端の開口部側の縁部を介して、前記他面シートと連結している、前記＜１＞〜＜４＞の何れか１に記載の毛髪保持具。
＜６＞
前記窓部は、前記他面シートの一部を切り出して形成されており、
前記蓋シートは、前記窓部の近傍に一部が接合されている、前記他面シートとは別体のシートからなる、前記＜１＞に記載の毛髪保持具。
＜７＞
前記別体のシートは、該シートの一部が前記他面シートの外面に接合されている、前記＜６＞に記載の毛髪保持具。
＜８＞
前記蓋シートを構成する前記別体のシートの前記一端の開口部側の端部が、前記筒状体の長手方向における前記一端の開口部及び前記窓部間において、前記他面シートと接合している、前記＜６＞又は＜７＞に記載の毛髪保持具。
＜９＞
前記蓋シートは、前記一端の開口部側に、前記窓部以外の箇所に連設又は接合された固定部を有し、該固定部を軸に回動して前記窓部を閉鎖及び開放可能である、前記＜６＞〜＜８＞の何れか１に記載の毛髪保持具。
＜１０＞
前記筒状体は、前記蓋シートによって前記窓部を閉鎖した状態を維持する閉鎖状態維持手段を備えている、前記＜１＞〜＜９＞の何れか１に記載の毛髪保持具。
【００５５】
＜１１＞
前記別体のシートは、不織布、織布、網状シート、樹脂フィルム、紙、高分子材料シート、ゴムシート又はこれらの複合体からなる、前記＜６＞〜＜１０＞の何れか１に記載の毛髪保持具。
＜１２＞
前記窓部は、前記筒状体の短手方向の長さが長手方向の長さより長く、該長手方向の長さが５ｍｍ以上である、前記＜１＞〜＜１１＞の何れか１に記載の毛髪保持具。
＜１３＞
前記窓部３は、前記筒状体の短手方向に沿う長さＷ１の、筒状体２の長手方向に沿う長さＬ１に対する比（Ｗ１／Ｌ１）が、２以上、好ましくは２．６以上であり、また２６以下、好ましくは２４以下であり、また２以上２６以下、好ましくは２．６以上２４以下である、前記＜１＞〜＜１２＞の何れか１に記載の毛髪保持具。
＜１４＞
前記窓部は、前記筒状体の短手方向に沿う長さＷ１が、１０ｍｍ以上、好ましくは３０ｍｍ以上であり、また１３０ｍｍ以下、好ましくは１２０ｍｍ以下であり、また１０ｍｍ以上１３０ｍｍ以下、好ましくは３０ｍｍ以上１２０ｍｍ以下である、前記＜１３＞に記載の毛髪保持具。
＜１５＞
前記窓部は、前記筒状体の長手方向に沿う長さＬ１が、５ｍｍ以上、好ましくは１０ｍｍ以上であり、また５０ｍｍ以下、好ましくは３０ｍｍ以下であり、また５ｍｍ以上５０ｍｍ以下、好ましくは１０ｍｍ以上３０ｍｍ以下である、前記＜１３＞又は＜１４＞に記載の毛髪保持具。
＜１６＞
前記一面シート及び前記他面シートの何れか一方又は双方が形状記憶シートからなり、自然状態において、前記筒状体がロール状に巻回されており、
前記筒状体を引き伸ばして毛髪束を挿入した後、手を放すと、前記筒状体とともに毛髪束を巻き上げるようになされている、前記＜１＞〜＜１５＞の何れか１に記載の毛髪保持具。
＜１７＞
前記窓部は、該窓部の少なくとも一部好ましくは全体が、前記筒状体の長手方向の全長Ｌを３等分した３領域、好ましくは４等分した４領域に区分したときの最も前記一端の開口部側の領域に配されている、前記＜１＞〜＜１６＞の何れか１に記載の毛髪保持具。
＜１８＞
前記窓部は、少なくとも一部、好ましくは全体が、前記筒状体の長手方向において、前記一端の開口部から、５ｍｍ以上１８３ｍｍ以下の範囲、好ましくは１０ｍｍ以上１６７ｍｍ以下の範囲に配されている、前記＜１＞〜＜１７＞の何れか１に記載の毛髪保持具。
＜１９＞
前記窓部は、前記筒状体の巻き上げ後に、少なくとも一部、好ましくは全体が、ロール状の該筒状体の外周面上にある、前記＜１＞〜＜１８＞の何れか１に記載の毛髪保持具。
＜２０＞
前記窓部は、前記筒状体の巻き上げ後に、前記一端の開口部から前記外周面の半周以内にある、前記＜１９＞に記載の毛髪保持具。
【００５６】
＜２１＞
前記他面シートには、該他面シートの短手方向に延びるスリットが形成されている、前記＜１＞〜＜２０＞の何れか１に記載の毛髪保持具。
＜２２＞
前記筒状体の前記一端の開口部の端部近傍には、前記一面シートが前記筒状体の長手方向に延出した延設部が設けられており、
前記延設部には、前記他面シートが存する面とは反対側に、巻き留め部５１が設けられている、前記＜１＞〜＜２１＞の何れか１に記載の毛髪保持具。
＜２３＞
前記他面シートの外面には、前記巻き留め部と係合可能な係合シート片が設けられている、前記＜２２＞に記載の毛髪保持具。
＜２４＞
前記一面シート及び前記他面シートそれぞれの形成材料が、不織布、織布、網状シート、多孔性又は非多孔性の樹脂フィルム、紙、高分子材料シート、ゴムシート、又はこれらの複合体であり、
前記不織布が、ポリエチレン不織布又はポリエチレンテレフタレート不織布であり、
前記多孔性又は非多孔性の樹脂フィルムが、ポリエチレンフィルム又はポリエチレンテレフタレートフィルムである、前記＜１＞〜＜２３＞の何れか１に記載の毛髪保持具。
＜２５＞
前記一面シート及び前記他面シートそれぞれの厚みは、５μｍ以上、好ましくは１０μｍ以上であり、また２０００μｍ以下、好ましくは１５００μｍ以下であり、また５μｍ以上２０００μｍ以下、好ましくは１０μｍ以上１５００μｍ以下である、前記＜１＞〜＜２４＞の何れか１に記載の毛髪保持具。
＜２６＞
前記一面シート及び前記他面シートはそれぞれ、前記毛髪束と接する面に、エンボス加工、カレンダー加工、又は樹脂膜形成加工が施されている、前記＜１＞〜＜２５＞の何れか１に記載の毛髪保持具。
＜２７＞
前記＜１＞〜＜２６＞の何れか１に記載の毛髪保持具を用いて毛髪束に毛髪処理を行う毛髪処理方法であって、
前記筒状体に毛髪束を挿通する工程と、
前記筒状体を、該筒状体に挿通した前記毛髪束とともに巻き上げる工程と、
前記窓部を開放した状態で、該窓部を介して前記筒状体内に前記毛髪処理剤を注入する工程とを含む、毛髪処理方法。
＜２８＞
前記毛髪束を前記一端の開口部の中へ挿通する際、前記蓋シートを閉じて前記窓部を閉鎖する、前記＜２７＞に記載の毛髪処理方法。
＜２９＞
前記筒状体を、その前記他端の開口部側から、前記一面シートを内側にして巻き上げる際、前記窓部を閉鎖した状態で前記筒状体を巻き上げる、前記＜２７＞又は＜２８＞に記載の毛髪処理方法。
＜３０＞
一端の開口部から他端の開口部に向けて毛髪束を挿通可能にシートにより構成された扁平形状の筒状体からなり、
前記筒状体は、巻き上げ時に内側に位置する一面シート及び巻き上げ時に外側に位置する他面シートから形成されており、
前記他面シートは、前記一端の開口部側の端部に、通液度が該他面シートの他の部分よりも高い毛髪処理剤注入部を有している、毛髪保持具。
【００５７】
＜３１＞
前記毛髪処理剤注入部は、前記他面シートの一部を切り出して形成してなる窓部と、該窓部を覆うように固定された、前記他面シートよりも通液性の高い高通液性シートとを備えて構成されている、前記＜３０＞に記載の毛髪保持具。
＜３２＞
前記高通液性シートの形成材料が、不織布、織布、網状シート、多孔性又は非多孔性の樹脂フィルム、紙、又はこれらの複合体等であり、
前記不織布は、ポリエチレン不織布又はポリエチレンテレフタレート不織布であり、
前記多孔性又は非多孔性の樹脂フィルムは、ポリエチレンフィルム又はポリエチレンテレフタレートフィルムである、前記＜３１＞に記載の毛髪保持具。
＜３３＞
前記毛髪処理剤注入部の通液度が、１ｍＬ／（ｓ・ｃｍ２）以上１０００ｍＬ／（ｓ・ｃｍ２）以下、好ましくは１０ｍＬ／（ｓ・ｃｍ２）以上１００ｍＬ／（ｓ・ｃｍ２）以下である、前記＜３０＞〜＜３２＞の何れか１に記載の毛髪保持具。
＜３４＞
前記他面シートにおける前記毛髪処理剤注入部以外の部分の通液度が、０．０１ｍＬ／（ｓ・ｃｍ２）以上１００ｍＬ／（ｓ・ｃｍ２）以下、好ましくは０．１ｍＬ／（ｓ・ｃｍ２）以上１０ｍＬ／（ｓ・ｃｍ２）以下である、前記＜３０＞〜＜３３＞の何れか１に記載の毛髪保持具。
＜３５＞
前記窓部３は、前記筒状体の短手方向に沿う長さＷ１の、筒状体２の長手方向に沿う長さＬ１に対する比（Ｗ１／Ｌ１）が、２以上、好ましくは２．６以上であり、また２６以下、好ましくは２４以下であり、また２以上２６以下、好ましくは２．６以上２４以下である、前記＜３０＞〜＜３４＞の何れか１に記載の毛髪保持具。
＜３６＞
前記窓部は、前記筒状体の短手方向に沿う長さＷ１が、１０ｍｍ以上、好ましくは３０ｍｍ以上であり、また１３０ｍｍ以下、好ましくは１２０ｍｍ以下であり、また１０ｍｍ以上１３０ｍｍ以下、好ましくは３０ｍｍ以上１２０ｍｍ以下である、前記＜３５＞に記載の毛髪保持具。
＜３７＞
前記窓部は、前記筒状体の長手方向に沿う長さＬ１が、５ｍｍ以上、好ましくは１０ｍｍ以上であり、また５０ｍｍ以下、好ましくは３０ｍｍ以下であり、また５ｍｍ以上５０ｍｍ以下、好ましくは１０ｍｍ以上３０ｍｍ以下である、前記＜３５＞又は＜３６＞に記載の毛髪保持具。
＜３８＞
前記一面シート及び前記他面シートの何れか一方又は双方が形状記憶シートからなり、自然状態において、前記筒状体がロール状に巻回されており、
前記筒状体を引き伸ばして毛髪束を挿入した後、手を放すと、前記筒状体が毛髪束とともに巻き上がるようになされている、前記＜３０＞〜＜３７＞の何れか１に記載の毛髪保持具。
＜３９＞
前記窓部は、該窓部の少なくとも一部好ましくは全体が、前記筒状体の長手方向の全長Ｌを３等分した３領域、好ましくは４等分した４領域に区分したときの最も前記一端の開口部側の領域に配されている、前記＜３０＞〜＜３８＞の何れか１に記載の毛髪保持具。
＜４０＞
前記窓部は、少なくとも一部、好ましくは全体が、前記筒状体の長手方向において、前記一端の開口部から、５ｍｍ以上１８３ｍｍ以下の範囲、好ましくは１０ｍｍ以上１６７ｍｍ以下の範囲に配されている、前記＜３０＞〜＜３９＞の何れか１に記載の毛髪保持具。
【００５８】
＜４１＞
前記窓部は、前記筒状体の巻き上げ後に、少なくとも一部、好ましくは全体が、ロール状の該筒状体の外周面上にある、前記＜３０＞〜＜４０＞の何れか１に記載の毛髪保持具。
＜４２＞
前記窓部は、前記筒状体の巻き上げ後に、前記一端の開口部から前記外周面の半周以内にある、前記＜４１＞に記載の毛髪保持具。
＜４３＞
前記＜３０＞〜＜４２＞の何れか１に記載の毛髪保持具を用いて毛髪束に毛髪処理を行う毛髪処理方法であって、
前記筒状体に毛髪束を挿通する工程と、
前記筒状体を、該筒状体に挿通した前記毛髪束とともに巻き上げる工程と、
前記毛髪処理剤注入部を介して前記筒状体内に前記毛髪処理剤を注入する工程とを含む、毛髪処理方法。
【符号の説明】
【００５９】
１  毛髪保持具
２  筒状体
２１、２２  開口部
２３  基材シート
２３Ａ  一面シート
２３Ｂ  他面シート
２４  側縁部
３  窓部
３１  蓋シート
４  延設部
５１  巻き留め部
５２  係合シート片
Ｈ  毛髪束
【図１】
2019080721.tif 000003
【図２】
2019080721.tif 000004
【図３】
2019080721.tif 000005
【図４】
2019080721.tif 000006